(57)【要約】【課題】給電側よりも接地側から直管形ＬＥＤランプの装着が容易なソケット装置およびそれを備えた照明装置を提供する。【解決手段】ランプソケットの一方は、ソケット本体１に設けられた第１挿入口１ｇに第１ランプピン２５が挿入されて電気的に接地させる接地用ランプソケット１０Ａであり、ランプソケットの他方は、外周壁７ｆ側から第２ランプピン２４，２４が挿入され給電する給電用ランプソケット１０Ｂであり、接地用ランプソケット１０Ａは、ソケット本体１が器具本体側に取り付ける取付基体２に保持されており、取付基体２は、第１受口面１ａｂが、直管形ＬＥＤランプ２０の装着時において給電用ランプソケット１０Ｂの第２受口面７ａｂと対向配置する第１位置と、直管形ＬＥＤランプ２０の未装着時において器具本体側に対して所定の鈍角の角度となる第２位置とに、ソケット本体１を変位可能とする。【選択図】図１
2013012339.tif 000002
【特許請求の範囲】
【請求項１】
管本体の一端側の口金部から突出した接地用の第１ランプピンおよび他端側の口金部から突出した給電用の第２ランプピンを備えた直管形ＬＥＤランプを装着させる一対のランプソケットを有するソケット装置であって、
器具本体側に設けられる一対の前記ランプソケットの一方は、ソケット本体に設けられた第１受口面の第１挿入口に前記第１ランプピンが挿入されて電気的に接地させる接地用ランプソケットであり、
前記ランプソケットの他方は、該ランプソケットの外周壁側から前記第２ランプピンが挿入されて前記直管形ＬＥＤランプに給電する給電用ランプソケットであり、
前記接地用ランプソケットは、前記ソケット本体が前記器具本体側に取り付ける取付基体に保持されており、
該取付基体は、前記第１受口面が、前記直管形ＬＥＤランプの装着時において前記給電用ランプソケットの第２受口面と対向配置する第１位置と、前記直管形ＬＥＤランプの未装着時において前記器具本体側に対して所定の鈍角の角度となる第２位置とに、前記ソケット本体を変位可能とすることを特徴とするソケット装置。
【請求項２】
前記第１ランプピンは、前記直管形ＬＥＤランプの軸方向に突出する軸部と該軸部の先端部に前記軸部の軸径よりも大きな径大部とを備えるものであり、前記ソケット本体は、前記第１ランプピンを前記第１挿入口の開口孔部に挿入した後に、前記第１ランプピンを前記軸方向とは垂直方向にスライドさせて前記開口孔部と連通する開口連通部で保持することを特徴とする請求項１に記載のソケット装置。
【請求項３】
前記第１ランプピンは、前記直管形ＬＥＤランプの軸方向に突出する軸部と該軸部の先端部に前記軸部の軸径よりも大きく、前記軸方向の平面視が非円形の径大部とを備えるものであり、前記ソケット本体は、前記第１ランプピンを前記第１挿入口の開口保持部に挿入した後に、前記第１ランプピンを前記直管形ＬＥＤランプの軸回りに回動させて保持することを特徴とする請求項１に記載のソケット装置。
【請求項４】
前記第２ランプピンは、一対設けられており、それぞれ前記直管形ＬＥＤランプの軸方向と平行に突出した板状突出部と、該板状突出部の先端部が略直角に曲げられて、対向する前記板状突出部から離れる外側方向に突出している折曲部とを備えるものであり、前記給電用ランプソケットは、当該給電用ランプソケットの外周壁側から前記第２ランプピンにおける前記板状突出部および前記折曲部を挿入する第２挿入口を有することを特徴とする請求項１ないし請求項３のいずれか１項に記載のソケット装置。
【請求項５】
前記各ランプソケットは、それぞれ前記ランプソケットに装着される前記直管形ＬＥＤランプの前記口金部を覆う防水カバーを備えており、該防水カバーは、挿通される前記直管形ＬＥＤランプとの間から水分が浸入することを抑制するシール材を備えていること特徴とする請求項１ないし請求項４のいずれか１項に記載のソケット装置。
【請求項６】
請求項１ないし請求項５に記載のいずれか１項のソケット装置を備えてなることを特徴とする照明装置。
【発明の詳細な説明】
【技術分野】
【０００１】
本発明は、直管形ＬＥＤランプを装着させるソケット装置およびそれを備えた照明装置に関する。
【背景技術】
【０００２】
近年、蛍光ランプに比べて長寿命で、消費電力をより低くすることが可能な発光ダイオードを用いたＬＥＤランプが普及しつつある。そのため、直管形蛍光ランプの代替光源として直管形ＬＥＤランプを装着する直管形ＬＥＤランプ専用のソケット装置も開発されつつある。
【０００３】
この種のソケット装置を備えたＬＥＤ照明器具として、ＬＥＤ灯具に商用交流電力または直流電力を供給するとともにその両端を各別に保持する左保持部、右保持部を有し、ＬＥＤ灯具が、通常の保持状態、分離状態の他、ＬＥＤ灯具の一方の端部（左端部）を左保持部で保持した状態で他方の端部（プラグ）を右保持部から外して保持できる半保持状態とできる構成のものが知られている（たとえば、特許文献１を参照。）。
【０００４】
これにより、特許文献１のＬＥＤ照明器具は、蛍光灯に比べて灯具の取り付け、交換や清掃を容易にすることができる、とされている。
【０００５】
また、ＬＥＤ蛍光灯の取り付け装置として、一方のソケットは不動であるが他方のソケットは一定範囲を回動する蝶番に形成しており、蝶番ソケットの可動部にＬＥＤ蛍光灯の端子と合致する係合孔を備えたものも知られている（たとえば、特許文献２を参照）。
【０００６】
特許文献２のＬＥＤ蛍光灯の取り付け装置は、ＬＥＤ蛍光灯の取り付けが極めて容易になされ、作業性をよくすることができる、とされている。
【先行技術文献】
【特許文献】
【０００７】
【特許文献１】国際公開第２０１０／０８４６７３号
【特許文献２】登録実用新案第３１５４８４３号公報
【発明の概要】
【発明が解決しようとする課題】
【０００８】
ところで、直管形ＬＥＤランプとしては、管本体の一端側の口金部から突出した１本のランプピンおよび他端側の口金部から突出した２本のランプピンを備えた構造をしたものがある。直管形ＬＥＤランプは、一端側の口金部から突出した１本のランプピンが接地用のランプピンであり、他端側の口金部から突出した２本のランプピンが給電用のランプピンとなっている。この直管形ＬＥＤランプは、日本電球工業会による規格（ＪＥＬ８０１：２０１０）「Ｌ型ピン口金ＧＸ１６ｔ−５付直管形ＬＥＤランプシステム（一般照明用）」として制定されている。
【０００９】
ここで、直管形ＬＥＤランプは、作業者が直管形ＬＥＤランプを照明器具へ着脱する際に、作業者が感電することを防止する安全性の観点から、給電用のランプピンよりも先に接地用のランプピンを電気的に接地させることが好ましい。
【００１０】
しかしながら、上述の特許文献１，２では、取り付け作業性については考慮されているものの、感電を防止する観点から電気的に、どのように接続するかは明確ではない。現在のところ、上述の直管形ＬＥＤランプが装着されるソケット装置において、接地側から直管形ＬＥＤランプを接続させやすいものは知られていない。
【００１１】
本発明は、上記事由に鑑みてなされたものであり、その目的は、給電側よりも接地側から直管形ＬＥＤランプの装着が容易なソケット装置およびそれを用いた照明装置を提供することにある。
【課題を解決するための手段】
【００１２】
本発明のソケット装置は、管本体の一端側の口金部から突出した接地用の第１ランプピンおよび他端側の口金部から突出した給電用の第２ランプピンを備えた直管形ＬＥＤランプを装着させる一対のランプソケットを有するソケット装置であって、器具本体側に設けられる一対の上記ランプソケットの一方は、ソケット本体に設けられた第１受口面の第１挿入口に上記第１ランプピンが挿入されて電気的に接地させる接地用ランプソケットであり、上記ランプソケットの他方は、該ランプソケットの外周壁側から上記第２ランプピンが挿入されて上記直管形ＬＥＤランプに給電する給電用ランプソケットであり、上記接地用ランプソケットは、上記ソケット本体が上記器具本体側に取り付ける取付基体に保持されており、該取付基体は、上記第１受口面が、上記直管形ＬＥＤランプの装着時において上記給電用ランプソケットの第２受口面と対向配置する第１位置と、上記直管形ＬＥＤランプの未装着時において上記器具本体側に対して所定の鈍角の角度となる第２位置とに、上記ソケット本体を変位可能とすることを特徴とする。
【００１３】
このソケット装置は、上記第１ランプピンは、上記直管形ＬＥＤランプの軸方向に突出する軸部と該軸部の先端部に上記軸部の軸径よりも大きな径大部とを備えるものであり、上記ソケット本体は、上記第１ランプピンを上記第１挿入口の開口孔部に挿入した後に、上記第１ランプピンを上記軸方向とは垂直方向にスライドさせて上記開口孔部と連通する開口連通部で保持することが好ましい。
【００１４】
このソケット装置は、上記第１ランプピンは、上記直管形ＬＥＤランプの軸方向に突出する軸部と該軸部の先端部に上記軸部の軸径よりも大きく、上記軸方向の平面視が非円形の径大部とを備えるものであり、上記ソケット本体は、上記第１ランプピンを上記第１挿入口の開口保持部に挿入した後に、上記第１ランプピンを上記直管形ＬＥＤランプの軸回りに回動させて保持することが好ましい。
【００１５】
このソケット装置は、上記第２ランプピンは、一対設けられており、それぞれ上記直管形ＬＥＤランプの軸方向と平行に突出した板状突出部と、該板状突出部の先端部が略直角に曲げられて、対向する上記板状突出部から離れる外側方向に突出している折曲部とを備えるものであり、上記給電用ランプソケットは、当該給電用ランプソケットの外周壁側から上記第２ランプピンにおける上記板状突出部および上記折曲部を挿入する第２挿入口を有することが好ましい。
【００１６】
このソケット装置は、上記各ランプソケットは、それぞれ上記ランプソケットに装着される上記直管形ＬＥＤランプの上記口金部を覆う防水カバーを備えており、該防水カバーは、挿通される上記直管形ＬＥＤランプとの間から水分が浸入することを抑制するシール材を備えていることが好ましい。
【００１７】
本発明の照明装置は、上述のいずれかのソケット装置を備えてなることを特徴とする。
【発明の効果】
【００１８】
本発明のソケット装置は、給電側よりも接地側から直管形ＬＥＤランプの装着が容易にできるという顕著な効果がある。
【００１９】
本発明の照明装置は、給電側よりも接地側から直管形ＬＥＤランプの装着が容易にできるという顕著な効果がある。
【図面の簡単な説明】
【００２０】
【図１】実施形態１のソケット装置を示し、（ａ）は直管形ＬＥＤランプの一端側を装着させる接地用ランプソケットの斜視説明図、（ｂ）は直管形ＬＥＤランプの他端側を装着させる給電用ランプソケットの斜視説明図、（ｃ）は直管形ＬＥＤランプを装着させた状態での概略側面図である。
【図２】同上のソケット装置における接地用ランプソケットの分解斜視図である。
【図３】同上のソケット装置の接地用ランプソケットに直管形ＬＥＤランプを装着させる側面説明図である。
【図４】同上のソケット装置の接地用ランプソケットに直管形ＬＥＤランプを装着させる斜視説明図である。
【図５】同上のソケット装置の給電用ランプソケットに直管形ＬＥＤランプを装着させる斜視説明図である。
【図６】同上のソケット装置における給電用ランプソケットの底面図である。
【図７】同上のソケット装置における給電用ランプソケットに直管形ＬＥＤランプを装着させる概略説明図である。
【図８】同上のソケット装置に装着される直管形ＬＥＤランプを示し、（ａ）は正面図、（ｂ）は他端側の口金たる第２口金部に一端側の口金たる第１口金部のランプピンを投影した側面説明図である。
【図９】実施形態２のソケット装置の接地用ランプソケットに直管形ＬＥＤランプを装着させる概略斜視図である。
【図１０】実施形態３の照明装置に直管形ＬＥＤランプを装着させた使用状態を示す外観説明図である。
【図１１】同上の照明装置を示す概略構成図である。
【発明を実施するための形態】
【００２１】
（実施形態１）
図１ないし図７に基づいて、本実施形態のソケット装置を説明し、図８に基づいて直管形ＬＥＤランプ２０を説明する。なお、各図において、同様の構成要素に対しては、同じ番号を付して重複する説明を省略している。
【００２２】
最初に、本実施形態のソケット装置に装着する直管形ＬＥＤランプ２０について説明する。図８に示す直管形ＬＥＤランプ２０は、透光性材料（たとえば、ガラスや合成樹脂など）により円筒形状の直管に形成された管本体である発光管２１を備えている。発光管２１の軸方向の両端部には、口金がそれぞれ設けられている。本実施形態のソケット装置と接続される直管形ＬＥＤランプ２０は、一方の端部における口金として、発光管２１の一端部側を覆うように、有底円筒状の接地用の第１口金部２３が設けられている。また、直管形ＬＥＤランプ２０は、他方の端部における口金として、発光管２１の軸方向の他端部側を覆うように、有底円筒状の給電用の第２口金部２２が設けられている。
【００２３】
発光管２１の内部には、図示していないが発光管２１よりも全長が若干短い実装基板（たとえば、セラミック基板など）が収納されている。実装基板の一表面側には白色光が発光可能な複数個の発光ダイオード（図示していない）を所定の間隔で実装して電気的に接続する配線パターンが形成されている。また、実装基板の他表面側には、該他表面側と接する底面部から突出した側壁部が発光ダイオードからの光を所定の方向に反射させる断面Ｃ字形状の反射板（図示していない）を備えている。なお、反射板は、アルミニウムにより形成されており、実装基板の他表面側から底面部を介して発光ダイオードの熱を外部に放出させるヒートシンクとしても機能する。
【００２４】
直管形ＬＥＤランプ２０の第２口金部２２の端面には、側面視において、第２口金部２２の径方向における中央部の両側に略半円状に凹んだ凹部２２ｂ，２２ｂが設けられ（図８（ｂ）を参照）、中央部が凹部２２ｂよりも前方に突出した略直方体状の突出部２２ａとなっている。突出部２２ａには、円筒形状の発光管２１の中心軸（図示していない）を挟んで対称な位置に、直管形ＬＥＤランプ２０の軸方向に沿って突出する金属材料により板状に形成された給電用の第２ランプピン２４，２４が略平行に設けられている。第２ランプピン２４は、一対設けられており、それぞれ直管形ＬＥＤランプ２０の軸方向と平行に突出した板状突出部２４ａを備えている。また、一対の第２ランプピン２４は、それぞれ板状突出部２４ａの先端部が略直角に曲げられて、対向する板状突出部２４ａから離れる外側方向に突出している折曲部２４ｂを備えている。
【００２５】
一対の第２ランプピン２４，２４は、たとえば、発光管２１の内部で図示していないリード線を介して実装基板と電気的に接続させている。なお、実装基板には、発光ダイオードが実装されるとともに発光ダイオードを電気的に保護する全波整流器などの回路部品（図示していない）も実装させている。すなわち、直管形ＬＥＤランプ２０は、いずれの第２ランプピン２４，２４が外部の直流電源の正極側と接続された場合でも、各発光ダイオードに順方向電流が流れるように、一対の第２ランプピン２４，２４と、各発光ダイオードとを全波整流器を介して電気的に接続させた構造としている。したがって、一対の第２ランプピン２４，２４は、直管形ＬＥＤランプ２０の発光ダイオードに給電する端子として機能する。
【００２６】
なお、直管形ＬＥＤランプ２０に収容されている発光ダイオードは、図示していないが、たとえば、通電することにより、ピーク波長が、４２０ｎｍ〜４９０ｎｍの範囲内にある青色光を放射するＬＥＤチップと、ＬＥＤチップを収納する収納凹所が一表面に設けられたセラミック（たとえば、アルミナなど）製のパッケージ本体とを備えている。収納凹所には、ＬＥＤチップから放射された青色光の一部を吸収し、より長波長の蛍光（たとえば、黄色光）を発する蛍光体（たとえば、Ｃｅで付活されたＹ３Ａｌ５Ｏ１２、Ｃｅで付活されたＴｂ３Ａｌ５Ｏ１２などのアルミネート系の蛍光体やＥｕで付活されたＢａ２ＳｉＯ４など）が含有された透光性材料（たとえば、シリコーン樹脂、エポキシ樹脂、アクリル樹脂、ポリカーボネート樹脂やガラスなど）からなる波長変換部材が埋設されている。また、発光ダイオードは、パッケージ本体の他表面に外部接続用電極（図示していない）が設けられており、該外部接続用電極と実装基板の配線パターンとが半田からなる接合部（図示していない）を介して電気的に接続されている。
【００２７】
直管形ＬＥＤランプ２０の一端側の口金となる第１口金部２３は、直管形ＬＥＤランプ２０の軸方向に沿って第１口金部２３から突出する接地用の１本の第１ランプピン２５を備えている。第１ランプピン２５は、第１口金部２３の端面の中心部から直管形ＬＥＤランプ２０の軸方向に沿って突出し、金属材料により丸棒状に形成された軸部２５ａを備えている。軸部２５ａの先端部には、直管形ＬＥＤランプ２０の軸方向から見た形状が直管形ＬＥＤランプ２０の第２口金部２２から突出する一対の第２ランプピン２４，２４が並ぶ方向と平行方向を、長手方向とする長円形状に形成され、軸部２５ａの軸径よりも大きな径大部２５ｂを備えている（図８（ｂ）を参照）。なお、径大部２５ｂは、長円形状だけに限らず、楕円形状など非円形の形状であってもよい。径大部２５ｂは、金属材料からなり軸部２５ａと一体に形成されている。すなわち、第１ランプピン２５は、直管形ＬＥＤランプ２０の軸方向に沿って突出した丸棒状の軸部２５ａと、径大部２５ｂとを有してＴ字状の形状となっている（図８（ａ）を参照）。第１ランプピン２５は、実装基板の配線パターンと電気的に接続して接地用のアース端子として機能させている。すなわち、直管形ＬＥＤランプ２０は、他端部側の第２口金部２２から給電する片側給電方式となっている。
【００２８】
次に、本実施形態のソケット装置におけるランプソケットについて説明する。なお、本実施形態のソケット装置におけるランプソケットは、防水構造としている。
【００２９】
ランプソケットは、一対設けられており、一方を接地用ランプソケット１０Ａとし、他方を給電用ランプソケット１０Ｂとしている。接地用ランプソケット１０Ａは、直管形ＬＥＤランプ２０の第１口金部２３を装着可能な構造としている。接地用ランプソケット１０Ａは、図１（ａ）に示すように、ソケット本体１の一表面１ａａ側から突出した円柱状の第１突出部１ｃを備えている。第１突出部１ｃには、直管形ＬＥＤランプ２０の第１口金部２３が当接可能な第１受口面１ａｂを有している。また、第１突出部１ｃは、円柱状の第１突出部１ｃの外周壁１ｆに雄螺子部１ｆａを備えている。接地用ランプソケット１０Ａは、ソケット本体１の第１受口面１ａｂの中心部に設けられた第１挿入口１ｇに直管形ＬＥＤランプ２０の第１ランプピン２５が挿入されて電気的に接地することを可能に構成している。
【００３０】
第１挿入口１ｇは、挿入する第１ランプピン２５の径大部２５ｂよりも大きい開口孔部１ｇａを備えている。また、第１挿入口１ｇは、開口孔部１ｇａと連通した開口連通部１ｇｂを備えている。第１挿入口１ｇは、開口孔部１ｇａから挿入した第１ランプピン２５を直管形ＬＥＤランプ２０の軸方向とは垂直方向にスライドさせて、第１ランプピン２５を開口連通部１ｇｂで保持する。開口連通部１ｇｂは、開口連通部１ｇｂの内径を、径大部２５ｂの外径よりも小さく、軸部２５ａの外径よりも大きく形成している。なお、第１挿入口１ｇは、図１（ａ）に示すように、開口連通部１ｇｂが開口孔部１ｇａに対して鉛直下側（図１の下側）に配置されるものだけに限定されるものではない。したがって、挿入口１ｇは、開口連通部１ｇｂが開口孔部１ｇａに対して、図１（ａ）と逆向きの鉛直上側などに配置させたものでもよい。また、第１挿入口１ｇは、開口孔部１ｇｂと開口孔部１ｇａとを備えたものだけに限られず、第１ランプピン２５を挿入して保持できるものであれば、種々の形状とすることができる。
【００３１】
接地用ランプソケット１０Ａは、図２に示すように、ソケット本体１が、ソケット本体１の一表面１ａａと反対の他表面側に開口部（図示していない）を備えた内部が空洞なボディ部１ａと、ボディ部１ａの開口部を覆うように設けられるカバー部１ｂとを備えている。カバー部１ｂは、ボディ部１ａの開口部を覆うような平板状に形成している。カバー部１ｂは、ボディ部１ａの内周面と当接して係合する係合凸部１ｂａを突出させている。ソケット本体１は、ボディ部１ａとカバー部１ｂとを溶着することで防水構造としている。
【００３２】
ソケット本体１の一表面１ａａ側には、長円形の挿入穴１ａｄがボディ部１ａの上側（図２の左側）に設けられている。挿入穴１ａｄには、接地用の配線（図示していない）を挿入する貫設孔１ｄａを備えたパッキン１ｄが内挿される。
【００３３】
また、ソケット本体１には、ボディ部１ａの内部の空洞に収納され、直管形ＬＥＤランプ２０の第１ランプピン２５と電気的に接続可能な導電部３を構成する接地用の導電板が備えられている。導電部３は、導電性の良好な金属材料（たとえば、銅合金など）の板状体を折り曲げ加工して形成されている。導電部３は、ボディ部１ａの内部の中央に配される中央片３ａと、中央片３ａの両端縁から中央片３ａと垂直に延設された、一対の略平行な延設片３ｂ，３ｃとを備えている。
【００３４】
下方（図２の右方）側の延設片３ｃは、延設片３ｃの先端部に支持され、延設片３ｃの幅方向の端部にそれぞれ設けた一対の支持片３ｃａを備えている。一対の支持片３ｃａは、延設片３ｃとは反対側に設けられ直管形ＬＥＤランプ２０の第１ランプピン２５と接触する接触片３ｃｂをそれぞれ備えている。各接触片３ｃｂは、支持片３ｃａとは反対の先端部に、対向する一対の接触片３ｃｂ，３ｃｂ間の幅よりも広がるように折り曲げられたガイド片３ｃｃをそれぞれ備えている。
【００３５】
ここで、直管形ＬＥＤランプ２０を接地用ランプソケット１０Ａに装着した場合、接地用ランプソケット１０Ａの第１受口面１ａｂは、直管形ＬＥＤランプ２０の口金２３と当接する。また、ソケット本体１の第１挿入口１ｇ内における一対の接触片３ｃｂ，３ｃｂは、直管形ＬＥＤランプ２０の第１ランプピン２５を保持する。第１ランプピン２５の軸部２５ａは、導電部３の一対の接触片３ｃｂ，３ｃｂに弾接され、第１ランプピン２５が接地用ランプソケット１０Ａ側に保持される。第１ランプピン２５の軸部２５ａは、一対の接触片３ｃｂ，３ｃｂに保持されることで、直管形ＬＥＤランプ２０が接地用ランプソケット１０Ａから抜けにくくなる。
【００３６】
また、導電部３の上方（図２の左方）側の延設片３ｂは、ボディ部１ａに内挿されたパッキン１ｄの貫設孔１ｄａを介して挿入された接地用の配線と簡便に電気的に接続できるように速結端子３ｂａを備えている。速結端子３ｂａは、貫通孔３ｄから配線の先端部が挿入される。速結端子３ｂａは、板状体の折り曲げ加工された保持片３ｄａの弾性により、配線の先端部が保持される。なお、貫設孔１ｄａは、接地用の配線を挿入させるために、１つあればよく必ずしも２つ設ける必要はない。貫設孔１ｄａは、２つ設けた場合、一方の貫設孔１ｄａを、別のソケット装置（図示していない）における接地用ランプソケット１０Ａと接続させる送り端子用に用いてもよい。なお、ソケット本体１は、ボディ部１ａおよびカバー部１ｂを電気絶縁性の合成樹脂を用いて形成することで絶縁性を確保している。
【００３７】
また、ボディ部１ａは、ボディ部１ａの上側の両側面において、第１ランプピン２５が挿入されるボディ部１ａの厚み方向に沿って、長手方向を長くした直方体状の嵌合突起部１ｅ，１ｅを突出させている。なお、嵌合突起部１ｅは、平面視において、長方形状の角部を面取りしている。接地用ランプソケット１０Ａは、器具本体側となる保持基台３１ｂに取り付けた取付基体２に、ソケット本体１を保持させている。取付基体２は、たとえば、正面視において、ボディ部１ａ側に開放した凹形状に形成されている。取付基体２は、ソケット本体１の嵌合突起部１ｅを嵌合する嵌合孔部２ａを取付基体２の側面に貫設されている。嵌合孔部２ａは、嵌合孔部２ａと直方体状の嵌合突起部１ｅとの嵌合により、ソケット本体１が器具本体側に対して略直角となる角度と、器具本体側に対して所定の鈍角となる角度とに配置可能な直角三角形状に形成している（図１（ｃ）を参照）。なお、嵌合孔部２ａは、平面視において、直角三角形状の角部を面取りしている。嵌合孔部２ａは、嵌合孔部２ａの形状を直角三角形状に限られるものではなく、所望に応じて種々の形状とすることができる。また、接地用ランプソケット１０Ａは、取付基体２が、ソケット本体１を器具本体側に対して略直角となる角度と、器具本体側に対して所定の鈍角となる角度に変位可能できればよく、必ずしも嵌合突起部１ｅと嵌合孔部２ａとを備えている必要もない。
【００３８】
接地用ランプソケット１０Ａは、器具本体側の保持基台３１ｂを用いて保持させている。取付基体２は、取付基体２の両側面に取付溝２ｂａを好適に設けている。取付基体２は、保持基台３１ｂの開口部３１ｂａにおける内周片３１ｂｂを取付溝２ｂａと嵌合させている。取付基体２は、取付溝２ｂａを形成するため、取付基体２の側面から凸部２ｂｂ，２ｂｂを突出させてもよいし、側面から窪んだ溝により取付溝２ｂａを形成させてもよい。なお、接地用ランプソケット１０Ａは、器具本体側となる保持基台３１ｂに取付基体２を取り付けできる構成であれば、取付溝２ｂａを設けた構成だけに限られず、螺子合いによる固定など種々の構造とすればよい。取付基体２は、たとえば、金属材料や合成樹脂などにより形成することができる。
【００３９】
また、接地用ランプソケット１０Ａは、ソケット本体１に装着される直管形ＬＥＤランプ２０の第１口金部２３の第１ランプピン２５側を覆う防水カバー６を好適に備えている。防水カバー６は、防水カバー６の内部に、挿通される直管形ＬＥＤランプ２０との間から水分が浸入することを抑制する円筒状の弾性体からなるシール材４とを備えている。また、防水カバー６は、防水カバー６とシール材４との間にＯリングたる円環状の防水パッキン５を備えている（図２を参照）。防水カバー６は、第１突出部１ｃの雄螺子部１ｆａと螺子合できるように、防水カバー６の第１突出部１ｃ側の端部となる内周面に雌螺子部（図示していない）を備えている。
【００４０】
防水カバー６は、合成樹脂により円筒状に形成している。円筒状の防水カバー６は、カバー開口部６ａに直管形ＬＥＤランプ２０の第１口金部２３を挿入することができるように、第１口金部２３の外径よりも若干大きい内径を備えている。防水カバー６は、直管形ＬＥＤランプ２０の軸回りに回転させ、防水カバー６の雌螺子部とソケット本体１の雄螺子部１ｆａとの螺合により、ソケット本体１に取付けられた直管形ＬＥＤランプ２０の第１口金部２３の外周面を覆ってソケット本体１に取外し可能に取付けられる。防水カバー６には、ボディ部１ａ側のカバー本体部６ｂと、カバー本体部６ｂからボディ部１ａと反対側に向かうにつれカバー開口部６ａの内径が小さくなるカバー傾斜部６ｃとを備えている。防水カバー６は、防水パッキン５を介して、弾性体により成形されたシール材４を収容している。
【００４１】
防水パッキン５は、パッキン開口部５ａに直管形ＬＥＤランプ２０の第１口金部２３を挿入することができるように、第１口金部２３の外径よりも若干大きくカバー開口部６ａよりも小さい外径を備えている。防水パッキン５は、シール材４と、防水カバー６との間に配置される。
【００４２】
円筒状のシール材４は、シール開口部４ａに直管形ＬＥＤランプ２０の第１口金部２３を挿入することができるように、第１口金部２３の外径よりも若干大きい内径を備えている。シール材４は、防水カバー６がボディ部１ａ側と螺合することにより、防水パッキン５を介してシール材４と直管形ＬＥＤランプ２０とが密着するように締め付けられる。これにより、シール材４は、弾性を有するシール材４の内周面側で直管形ＬＥＤランプ２０と密着し、挿通される直管形ＬＥＤランプ２０との間から水分が浸入することを抑制することが可能としている。ここで、防水パッキン５は、シール材４と比較して、非粘着性かつ低摩擦係数の合成樹脂材料により形成している。
【００４３】
そのため、接地用ランプソケット１０Ａは、防水カバー６をボディ部１ａに対し直管形ＬＥＤランプ２０の軸回りに回転して締付ける場合、防水カバー６と、シール材４とが直接接触する防水ソケットの構造と比較して、直管形ＬＥＤランプ２０とシール材４との密着性を維持したまま、防水カバー６をボディ部１ａに対して回転し易くすることができる。
【００４４】
次に、給電用ランプソケット１０Ｂは、直管形ＬＥＤランプ２０の第２口金部２２を装着可能な構造としている。給電用ランプソケット１０Ｂは、図１（ｂ）に示すように、ボディ部７ａの一表面７ａａ側に、直管形ＬＥＤランプ２０の第２口金部２２の突出部２２ａが当接可能な第２受口面７ａｂを有している。給電用ランプソケット１０Ｂは、給電用ランプソケット１０Ｂの第２突出部７ｃの外周壁７ｆ側から中心部側に第２ランプピン２４における板状突出部２４ａおよび折曲部２４ｂを挿入可能な一対の第２挿入口７ｇ，７ｇを備えている。ここで、一対の第２挿入口７ｇ，７ｇは、外周壁７ｆ側から一対の第２ランプピン２４における板状突出部２４ａおよび折曲部２４ｂを各別に挿入できるように、互いに離れる向きのＬ字状の形状に形成している（図６を参照）。すなわち、給電用ランプソケット１０Ｂは、給電用ランプソケット１０Ｂの外周壁７ｆに第２ランプピン２４の外形形状に対応する形状の第２挿入口７ｇが設けられている。
【００４５】
なお、給電用ランプソケット１０Ｂは、内部に第２口金部２２から突出した一対の第２ランプピン２４，２４とそれぞれ電気的に接続可能な一対の導電部（図示していない）を構成する給電用の導電板を備えている。なお、一対の導電部は、それぞれ導電性の良好な金属材料（たとえば、銅合金など）の板状体を折り曲げ加工して形成される。給電用ランプソケット１０Ｂの第２受口面７ａｂは、直管形ＬＥＤランプ２０の突出部２２ａと当接し、一対の平行な第２挿入口７ｇ，７ｇ内それぞれにおける導電板の一対の接触片が直管形ＬＥＤランプ２０の第２ランプピン２４を保持している。ここで、直管形ＬＥＤランプ２０を給電用ランプソケット１０Ｂに装着した場合、各第２ランプピン２４の板状突出部２４ａは、導電板の一対の接触片に弾接され、第２ランプピン２４が給電用ランプソケット１０Ｂ側に保持される。第２ランプピン２４の板状突起部２４ａは、導電板の一対の接触片に保持されることで、直管形ＬＥＤランプ２０が給電用ランプソケット１０Ｂから抜けにくくなる。
【００４６】
給電用の一対の導電板は、一対の第２ランプピン２４,２４と、それぞれ各別に電気的に接続することで直管形ＬＥＤランプ２０に電力を供給することができる。
【００４７】
なお、ボディ部７ａは、一表面１ａａ側の上側（図１の紙面の上側）に、長円形の挿入穴７ａｄが設けられている。挿入穴７ａｄには、給電用の電線（図示していない）を挿入する貫設孔７ｄａを備えたパッキン７ｄが内挿されている。導電板は、貫設孔７ｄａに挿入された給電用の電線と、電気的に簡便に接続できるように速結端子をそれぞれ備えた構成としてもよい。また、ボディ部７ａには、ボディ部７ａの両側面から突出させた凸部７ｂｂ，７ｂｂにより、給電用ランプソケット１０Ｂを取り付ける保持基台３１ｂの開口部３１ｂａにおける内周片３１ｂｂと嵌合させる取付溝７ｂａを好適に設けている。
【００４８】
また、給電用ランプソケット１０Ｂは、接地用ランプソケット１０Ａと同様に、直管形ＬＥＤランプ２０の他端側の口金部である第２口金部２２を覆う防水カバー６を好適に備えている。防水カバー６は、図示していないが、挿通される直管形ＬＥＤランプ２０との間から水分が浸入することを抑制する円筒状の弾性体からなるシール材を備えている。防水カバー６は、第２突出部７ｃの雄螺子部７ｆａと螺子合できるように、防水カバー６の第２突出部７ｃ側の端部となる内周面に雌螺子部（図示していない）を備えている。なお、防水カバー６は、防水パッキンを介してシール材を収容している。すなわち、給電用ランプソケット１０Ｂは、接地用ランプソケット１０Ａにおける直管形ＬＥＤランプ２０を装着させる構造、および取付基体２を備えておらず、器具本体側に対してボディ部７ａが変位しない点が相違する構造としている。
【００４９】
なお、図１（ｃ）では、直管形ＬＥＤランプ２０と、直管形ＬＥＤランプ２０の一端側の第１口金部２３側を保持する接地用ランプソケット１０Ａと、直管形ＬＥＤランプ２０の他端側の第２口金部２２を保持する給電用ランプソケット１０Ｂと、器具本体側の保持基台３１ｂとだけ図示して、各部材の位置関係を分かり易くしている。このような、本実施形態のソケット装置を備えた照明装置は、図示していない天井材に固定して使用することができる。
【００５０】
次に、本実施形態のソケット装置に直管形ＬＥＤランプ２０を装着する方法について、図３ないし図７を用いて説明する。
【００５１】
本実施形態のソケット装置は、直管形ＬＥＤランプ２０を装着する際、直管形ＬＥＤランプ２０の第１口金部２３を接地用ランプソケット１０Ａ側に、第２口金部２２を給電用ランプソケット１０Ｂ側にして、直管形ＬＥＤランプ２０が近付けられる。
【００５２】
ここで、接地用ランプソケット１０Ａは、直管形ＬＥＤランプ２０が給電用ランプソケット１０Ｂに未装着の場合、ソケット本体１の自重などにより、ソケット本体１の嵌合突起部１ｅが取付基体２の嵌合孔部２ａの内底面に当接している。そのため、取付基体２は、第１受口面１ａｂが器具本体側に対して所定の鈍角となっている（図３（ａ）を参照）。
【００５３】
これに対し、給電用ランプソケット１０Ｂは、第２受口面７ａｂが器具本体側に対して略直角としている。また、本実施形態のソケット装置における給電用ランプソケット１０Ｂは、第２挿入口７ｇが、図７の部分断面で示すように、第２受口面７ｇｂと平行な第１ガイド７ｇｂと、外周壁７ｆ側に向かって広がる第２ガイド７ｇｃとを備えている。なお、図７の部分断面は、図６のVII−VIIにおける破断面を示している。これにより、給電用ランプソケット１０Ｂは、図７（ａ）の一点鎖線で示す軸方向の直管形ＬＥＤランプ２０に対し、図７（ｂ）の一点鎖線で示す軸方向の直管形ＬＥＤランプ２０の方が第２挿入口７ｇに挿入しにくい構造としている。給電用ランプソケット１０Ｂは、第２ランプピン２４が図７（ｂ）に示す如く、器具本体側に対して傾いた角度の場合、第２挿入口７ｇに挿入しがたい。したがって、本実施形態のソケット装置における接地用ランプソケット１０Ａは、給電用ランプソケット１０Ｂよりも直管形ＬＥＤランプ２０を挿入しやすくなっている。
【００５４】
次に、接地用ランプソケット１０Ａは、直管形ＬＥＤランプ２０が直管形ＬＥＤランプ２０の軸方向に移動されて第１挿入口１ｇ内に第１ランプピン２５が挿入される（図３（ｂ）を参照）。なお、直管形ＬＥＤランプ２０には、直管形ＬＥＤランプ２０を接地用ランプソケット１０Ａや給電用ランプソケット１０Ｂに装着する際に先立って、予め、シール材４および防水パッキン５を備えた防水カバー６に直管形ＬＥＤランプ２０を挿通させている。
【００５５】
続いて、接地用ランプソケット１０Ａは、直管形ＬＥＤランプ２０が直管形ＬＥＤランプ２０の軸方向とは垂直方向にスライドされ、開口孔部１ｇａと連通する開口連通部１ｇｂで直管形ＬＥＤランプ２０を保持する（図４（ａ）を参照）。第１ランプピン２５は、接地用ランプソケット１０Ａの内部に設けられた導電部３における一対の接触片３ｃｂ，３ｃｂに嵌合させられる（図３（ｃ）を参照）。これによって、給電用ランプソケット１０Ｂは、直管形ＬＥＤランプ２０の他端側の保持およびアース接続を行うことが可能となる。なお、接地用ランプソケット１０Ａは、直管形ＬＥＤランプ２０を保持している。そのため、本実施形態のソケット装置は、直管形ＬＥＤランプ２０の装着途中で不用意に接地用ランプソケット１０Ａから直管形ＬＥＤランプ２０が抜け落ちて落下などすることを抑制することも可能となる。
【００５６】
続いて、接地用ランプソケット１０Ａは、ソケット本体１を直管形ＬＥＤランプ２０ごと取付基体２に対して回動させる。これにより、給電用ランプソケット１０Ｂ側では、図５（ａ）に示すように、直管形ＬＥＤランプ２０における一対の第２ランプピン２４，２４を外周壁７ｆの第２挿入口７ｇ，７ｇに向かって各別に近づける（図５（ａ）の矢印を参照）。ソケット装置は、直管形ＬＥＤランプ２０の一対の第２ランプピン２４，２４が給電用ランプソケット１０Ｂの第２受口面７ａｂにある一対の第２挿入口７ｇ，７ｇに挿入される。すなわち、ソケット装置は、接地用ランプソケット１０Ａに接地側が装着された直管形ＬＥＤランプ２０の給電側が持ち上げられて、直管形ＬＥＤランプ２０を器具本体側と略水平に配置する。第２ランプピン２４，２４は、第２挿入口７ｇとは反対側の終端部に設けられた導電板の一対の接触片と接触させられる。これによって、給電用ランプソケット１０Ｂは、直管形ＬＥＤランプ２０へ給電を行うことが可能となる。
【００５７】
これにより、取付装置２は、第１受口面１ａｂが給電用ランプソケット１０Ｂの第２受口面７ａｂと対向配置する第１位置となるようにソケット本体１を変位させる（図１（ｃ）、図４（ｂ）および図５（ｂ）を参照）。直管形ＬＥＤランプ２０は、対向する接地用ランプソケット１０Ａおよび給電用ランプソケット１０Ｂに保持される。
【００５８】
この状態で、直管形ＬＥＤランプ２０は、発光管２１内部の発光ダイオードが所定の照射面側を向くように、実装基板と第２ランプピン２４，２４や第１ランプピン２５との位置関係を規定している。また、一対の第２ランプピン２４，２４は、給電用ランプソケット１０Ｂのボディ部７ａの内部に配置されている２個の導電部に電気的に接続されて、直管形ＬＥＤランプ２０の発光ダイオード側に直流電力が供給される。また、直管形ＬＥＤランプ２０の１本の第１ランプピン２５は、導電部３と電気的に接続させることで、接地用のアースピンとなる。
【００５９】
ところで、防水カバー６は、直管形ＬＥＤランプ２０の第１ランプピン２５を第１挿入口１ｇに差し込んだ状態で、ボディ部１ａに締め付ける際に、防水カバー６の螺子合いの回転とともに直管形ＬＥＤランプ２０も意図せず回転する共回りが生ずる場合がある。すなわち、直管形ＬＥＤランプ２０は、防水カバー６側との摩擦のため、直管形ＬＥＤランプ２０が防水カバー６の螺子合いのための回転により共回りをしてしまう恐れがある。
【００６０】
直管形ＬＥＤランプ２０は、直管形ＬＥＤランプ２０自体が照射する光に指向性があり、直管形ＬＥＤランプ２０の共回りにともない、直管形ＬＥＤランプ２０がソケット装置に所定の位置で装着されなければ直管形ＬＥＤランプ２０からの配光に影響を及ぼしやすい。
【００６１】
本実施形態のソケット装置では、給電用ランプソケット１０Ｂの外周壁７ｆ側から第２ランプピン２４における板状突起部２４ａおよび折曲部２４ｂを挿入する第２挿入口７ｇにスライドして挿入している。そのため、本実施形態のソケット装置は、直管形ＬＥＤランプ２０の第１ランプピン２５を第１挿入口１ｇに挿入し、第２ランプピン２４を第２挿入口７ｇに挿入した後において、第２挿入口７ｇが直管形ＬＥＤランプ２０の防水カバー６との共回りを抑制させることを可能としている。
【００６２】
（実施形態２）
本実施形態における接地用ランプソケット１０Ａは、図１（ａ）に示した開口孔部１ｇａと開口連通部１ｇｂとを有する第１挿入口１ｇを備えたものの代わりに、図９に示す長円状の開口保持部１ｇｃを有する第１挿入口１ｇを備えたものを用いた点が相違する。
【００６３】
本実施形態のソケット装置は、実施形態１と同様に、ランプソケットの一方が、ソケット本体１に設けられた第１挿入口１ｇに第１ランプピン２５が挿入されて電気的に接地させる接地用ランプソケット１０Ａである。また、ランプソケットの他方は、図１（ｂ）と同様に、外周壁７ｆ側から第２ランプピン２４が挿入され給電する給電用ランプソケット１０Ｂである。
【００６４】
本実施形態における接地用ランプソケット１０Ａは、ソケット本体１が、器具本体側となる保持基台３１ｂに取り付ける取付基体２に保持されている。取付基体２は、ソケット本体１の第１受口面１ａｂが、直管形ＬＥＤランプ２０の装着時において給電用ランプソケット１０Ｂの第２受口面７ａｂと対向配置する第１位置（図示していない）と、直管形ＬＥＤランプ２０の未装着時において器具本体側に対して所定の鈍角の角度となる第２位置（図９を参照）とに、ソケット本体１を変位可能としている。
【００６５】
なお、直管形ＬＥＤランプ２０は、第１ランプピン２５が、直管形ＬＥＤランプ２０の軸方向に突出する軸部２５ａと軸部２５ａの先端部に軸部２５ａの軸径よりも大きく、軸方向の平面視が非円形である長円状の径大部２５ｂとを備えるものを用いている。
【００６６】
ここで、本実施形態における図９に示す接地用ランプソケット１０Ａは、ソケット本体１が、第１ランプピン２５を第１挿入口１ｇの開口保持部１ｇｃに挿入した後に、第１ランプピン２５を直管形ＬＥＤランプ２０の軸回りに回動させて保持することがとしている。
【００６７】
本実施形態における接地用ランプソケット１０Ａは、第１ランプピン２５の径大部２５ｂと、第１挿入口１ｇの開口保持部１ｇｃと合わせて第１ランプピン２５を挿入される。直管形ＬＥＤランプ２０は、径大部２５ｂが開口保持部１ｇｃに挿入された状態で、直管形ＬＥＤランプ２０を軸回りに９０度回転させる。これにより、接地用ランプソケット１０Ａは、直管形ＬＥＤランプ２０の一端側を保持するとともに、一対の第２ランプピン２４，２４を給電用ランプソケット１０Ｂの外周壁７ｆ側から挿入することが可能となる。
【００６８】
（実施形態３）
以下に、実施形態１で説明したソケット装置を備える照明装置３０について、図１０および図１１を用いて説明する。
【００６９】
本実施形態の図１０に示す照明装置３０は、直管形ＬＥＤランプ２０を装着させることが可能な直方体状の照明器具３１を備えている。照明器具３１は、直管形ＬＥＤランプ２０の一端側の口金部たる第１口金部２３と当接し、第１ランプピン２５を接地させる図１（ａ）で示した接地用ランプソケット１０Ａを備えている。また、照明器具３１は、直管形ＬＥＤランプ２０の他端側の口金部たる第２口金部２２と当接し、第２ランプピン２４へ給電する図１（ｂ）で示した給電用ランプソケット１０Ｂを備えている。
【００７０】
照明器具３１の内部には、図１１に示すように、商用電源ＡＣからの電源線が接続される端子台３３と、端子台３３を介して入力される商用電源ＡＣからの交流電圧を直管形ＬＥＤランプ２０に適合した所定の直流電圧に変換し直管形ＬＥＤランプ２０に供給する点灯回路３２が収納されている。点灯回路３２のアース端子部は、配線３６を介して、照明器具３１の一端側（図１１の右側）に設けた接地用ランプソケット１０Ａと電気的に接続されている。また、点灯回路３２の出力端子は、電線３４を介して照明器具３１の他端側（図１１の左側）に設けた給電用ランプソケット１０Ｂと接続されている。給電用ランプソケット１０Ｂは、給電用ランプソケット１０Ｂに装着された直管形ＬＥＤランプ２０の第２口金部２２側から給電する。
【００７１】
照明装置３０は、照明器具３１の長手方向の両端部に直管形ＬＥＤランプ２０を保持できるように照明器具３１の本体に接地用ランプソケット１０Ａおよび給電用ランプソケット１０Ｂをそれぞれ突出させて備えている。すなわち、照明装置３０は、直管形ＬＥＤランプ２０における発光管２１の両端に設けられた第１口金部２３および第２口金部２２を、それぞれ対応する接地用ランプソケット１０Ａおよび給電用ランプソケット１０Ｂに装着させることで直管形ＬＥＤランプ２０を保持する。なお、照明装置３０は、ソケット装置の接地用ランプソケット１０Ａおよび給電用ランプソケット１０Ｂを、直管形ＬＥＤランプ２０の第１口金部２３および第２口金部２２間の長さに応じた所定の間隔で配置している。また、本実施形態の照明装置３０は、実施形態１の接地用ランプソケット１０Ａの代わりに実施形態２の接地用ランプソケット１０Ａを備えた構成でもよい。
【符号の説明】
【００７２】
１  ソケット本体
１ａｂ  第１受口面
１ｇ  第１挿入口
１ｇａ  開口孔部
１ｇｂ  開口連通部
１ｇｃ  開口保持部
２  取付基体
４  シール材
６  防水カバー
７ｆ  外周壁
７ｇ  第２挿入口
７ａｂ  第２受口面
１０Ａ  接地用ランプソケット
１０Ｂ  給電用ランプソケット
２０  直管形ＬＥＤランプ
２１  管本体（発光管）
２２  第２口金部
２３  第１口金部
２４  第２ランプピン
２４ａ  板状突出部
２４ｂ  折曲部
２５  第１ランプピン
２５ａ  軸部
２５ｂ  径大部
３１ａ  器具本体
３０  照明装置
【図１】
2013012339.tif 000003
【図２】
2013012339.tif 000004
【図３】
2013012339.tif 000005
【図４】
2013012339.tif 000006
【図５】
2013012339.tif 000007
【図６】
2013012339.tif 000008
【図７】
2013012339.tif 000009
【図８】
2013012339.tif 000010
【図９】
2013012339.tif 000011
【図１０】
2013012339.tif 000012
【図１１】
2013012339.tif 000013